(57)【要約】【課題】静止画キャプチャ装置及びこれを備えたデジタル／アナログチューナ装置において、映像信号に含まれるＶＢＩ部を原因とするキャプチャ画像のノイズ等の発生や、キャプチャ時にアスペクト比情報が失われることを原因とするキャプチャ画像の変形を防止する。【解決手段】デジタル／アナログチューナ装置は、キャプチャ画像１００の記憶時に、映像信号５０のＶＢＩ部５０ｂをカットして映像５０ａをキャプチャ画像１００として記憶すると共に、キャプチャ画像１００に関するアスペクト比情報を記憶する。そして、キャプチャ画像１００を受像機に表示させる際に、ＶＢＩ部５０ｂをカットした後のキャプチャ画像１００に、アスペクト比情報に応じたブランク部分を付加して出力する。【選択図】図２
2005197931.tif 000002
【特許請求の範囲】
【請求項１】
デジタル／アナログ放送信号を受信する受信手段と、前記受信手段により受信したデジタル／アナログ放送信号から映像信号を抽出するデコーダと、前記デコーダにより抽出された１フレーム分の映像信号をキャプチャ画像として記憶する静止画キャプチャ装置と、前記デコーダにより抽出された前記映像信号及び前記静止画キャプチャ装置により記憶された前記キャプチャ画像を表示手段に出力する出力手段とを備えたデジタル／アナログチューナ装置であって、
前記静止画キャプチャ装置は、前記キャプチャ画像の記憶時に、前記映像信号の解像度及び放送の種類に応じて、該映像信号のＶＢＩ（Ｖｅｒｔｉｃａｌ  Ｂｌａｎｋｉｎｇ  Ｉｎｔｅｒｖａｌ）部をカットしてキャプチャ画像として記憶すると共に、該キャプチャ画像に関するアスペクト比情報を記憶し、
前記出力手段は、前記キャプチャ画像を前記表示手段に出力する際に、前記ＶＢＩ部をカットした後のキャプチャ画像を出力すると共に、該キャプチャ画像が前記アスペクト比情報とは異なるアスペクト比で前記表示手段に表示される場合に、該キャプチャ画像が変形しないように、前記アスペクト比情報に応じたブランク部分を前記キャプチャ画像に付加して出力することを特徴とするデジタル／アナログチューナ装置。
【請求項２】
入力された１フレーム分の映像信号をキャプチャ画像として記憶する静止画キャプチャ装置であって、
前記キャプチャ画像の記憶時に、前記映像信号の解像度と放送の種類に応じて、該映像信号のＶＢＩ部をカットして記憶すること特徴とする静止画キャプチャ装置。
【請求項３】
デジタル／アナログ放送信号を受信する受信手段と、前記受信手段により受信したデジタル／アナログ放送信号から映像信号を抽出するデコーダと、前記デコーダにより抽出された１フレーム分の映像信号をキャプチャ画像として記憶する静止画キャプチャ装置と、前記デコーダにより抽出された前記映像信号及び前記静止画キャプチャ装置により記憶された前記キャプチャ画像を表示手段に出力する出力手段とを備えたデジタル／アナログチューナ装置であって、
前記静止画キャプチャ装置は、前記キャプチャ画像の記憶時に、該キャプチャ画像と供に該キャプチャ画像に関するアスペクト比情報を記憶し、
前記出力手段は、前記キャプチャ画像を前記表示手段に出力する際に、該キャプチャ画像が前記アスペクト比情報とは異なるアスペクト比で前記表示手段に表示される場合に、該キャプチャ画像が変形しないように、前記アスペクト比情報に応じたブランク部分を前記キャプチャ画像に付加して出力することを特徴とするデジタル／アナログチューナ装置。
【請求項４】
デジタル／アナログ放送信号を受信する受信手段と、前記受信手段により受信したデジタル／アナログ放送信号から映像信号及びＥＰＧ（Ｅｌｅｃｔｒｉｃ  Ｐｒｏｇｒａｍ  Ｇｕｉｄｅ）情報を抽出するデコーダと、前記デコーダにより抽出された１フレーム分の映像信号をキャプチャ画像として記憶する静止画キャプチャ装置と、前記デコーダにより抽出された映像信号及び静止画キャプチャ装置により記憶された前記キャプチャ画像を表示手段に出力する出力手段とを備えたデジタル／アナログチューナ装置であって、
前記静止画キャプチャ装置は、前記キャプチャ画像の記憶時に、該キャプチャ画像と供に該キャプチャ画像に関する前記ＥＰＧ情報を記憶し、
前記出力手段は、前記キャプチャ画像を前記表示手段に出力する際に、前記映像信号に含まれるＶＢＩ部が隠れるように前記キャプチャ画像にＥＰＧ情報を重畳して前記キャプチャ画像を前記表示手段に出力することを特徴とするデジタル／アナログチューナ装置。
【発明の詳細な説明】
【技術分野】
【０００１】
本発明は、デジタル／アナログ放送に含まれる映像信号を静止画像として記憶する静止画キャプチャ装置及びこれを備えたデジタル／アナログチューナ装置に関する。
【背景技術】
【０００２】
従来から、ユーザによるキャプチャボタン操作に基づいて、受像機に表示されている動画像の１フレームを静止画像（以下、キャプチャ画像という）として記憶する静止画キャプチャ装置及びこれを備えたデジタル／アナログチューナ装置が知られている。このような静止画キャプチャ装置においては、キャプチャ画像を記憶する際、アナログ放送ではＶＢＩ（Ｖｅｒｔｉｃａｌ  Ｂｌａｎｋｉｎｇ  Ｉｎｔｅｒｖａｌ）部がノイズのようにキャプチャされてしまう場合があった。また、デジタル放送の場合であっても、アナログ放送のＴＶ番組をデジタルにコンバートして放送していることがある。このような場合には、表示される映像に元の番組のＶＢＩ部が画像として含まれている場合があり、これをキャプチャして縮小画面で表示するとＶＢＩ部分が目立ってしまい、見た目にも余り良くなかった。
【０００３】
また、例えば、デジタル放送では、７０４×４８０ｐｉｘｅｌの映像が送られてくるが、これは１６：９か、４：３のいずれかのアスペクト比を有し、このアスペクト比はデジタル放送のストリーム中にデータとして含まれている。従来のデジタル／アナログチューナ装置では、この放送に含まれるアスペクト比情報と、受像機のディスプレイモードの設定に応じて、上下や左右にブランクを付加し、映像の変形を防いで出力することができる。しかしながら、この映像をキャプチャ画像として記憶した場合には、ストリーム中のアスペクト比のデータは失われてしまい、７０４×４８０ｐｉｘｅｌの映像であることしか分からなくなってしまう。その結果、キャプチャ画像が上述したアスペクト比情報とは異なるアスペクト比で受像機に表示された場合、変形したキャプチャ画像が受像機の表示画面に表示されてしまっていた。
【０００４】
ところで、動画像データが入力されて受像機の表示画面に表示されているときに、常に、動画像データを一定時間間隔で静止画像として取り込んで一時記憶する静止画キャプチャ装置であって、画像を記憶装置に一時記憶する時間間隔や、その記憶装置の容量をユーザが設定できるようにして、ユーザがキャプチャしたいと望む映像を確実にキャプチャすることができるようにした静止画キャプチャ装置が知られている（例えば、特許文献１参照）。また、表示画面に表示されているフレームの画像から数フレーム前までの画像を遅延メモリに保持させるようにし、キャプチャボタンが押されたときに、それらの遅延メモリに格納されている画像を全てハードディスクに取り込むようにした静止画キャプチャ装置であって、各フレームの差分量を求め、差分量が所定量より大きいときにのみ、その画像データを遅延メモリに書き込むようにして遅延メモリの容量の低減化を図り、ユーザがキャプチャしたいと望む映像を取り込み易くできるようにした静止画キャプチャ装置が知られている（例えば、特許文献２参照）。
【特許文献１】特開２００１−５４０５３号公報
【特許文献２】特開平１１−９８４５２号公報
【発明の開示】
【発明が解決しようとする課題】
【０００５】
ところが、特許文献１及び特許文献２に記載の静止画キャプチャ装置においては、ユーザがキャプチャしたいと望む映像を取り込み易くすることはできるものの、映像信号に含まれるＶＢＩ部を原因とするノイズ等の発生や、キャプチャ時にアスペクト比情報が失われることを原因とするキャプチャ画像の変形を防止することはできない。
【０００６】
本発明は上記課題を解決するためになされたものであり、映像信号に含まれるＶＢＩ部を原因とするノイズ等の発生や、キャプチャ時にアスペクト比情報が失われることを原因とするキャプチャ画像の変形を防止することができる静止画キャプチャ装置及びこれを備えたデジタル／アナログチューナ装置を提供することを目的とする。
【課題を解決するための手段】
【０００７】
上記目的を達成するために請求項１の発明は、デジタル／アナログ放送信号を受信する受信手段と、前記受信手段により受信したデジタル／アナログ放送信号から映像信号を抽出するデコーダと、前記デコーダにより抽出された１フレーム分の映像信号をキャプチャ画像として記憶する静止画キャプチャ装置と、前記デコーダにより抽出された前記映像信号及び前記静止画キャプチャ装置により記憶された前記キャプチャ画像を表示手段に出力する出力手段とを備えたデジタル／アナログチューナ装置であって、前記静止画キャプチャ装置は、前記キャプチャ画像の記憶時に、前記映像信号の解像度及び放送の種類に応じて、該映像信号のＶＢＩ部をカットしてキャプチャ画像として記憶すると共に、該キャプチャ画像に関するアスペクト比情報を記憶し、前記出力手段は、前記キャプチャ画像を前記表示手段に出力する際に、前記ＶＢＩ部をカットした後のキャプチャ画像を出力すると共に、該キャプチャ画像が前記アスペクト比情報とは異なるアスペクト比で前記表示手段に表示される場合に、該キャプチャ画像が変形しないように、前記アスペクト比情報に応じたブランク部分を前記キャプチャ画像に付加して出力することを特徴とする。
【０００８】
請求項２の発明は、入力された１フレーム分の映像信号をキャプチャ画像として記憶する静止画キャプチャ装置であって、前記キャプチャ画像の記憶時に、前記映像信号の解像度と放送の種類に応じて、該映像信号のＶＢＩ部をカットして記憶すること特徴とする。
【０００９】
請求項３の発明は、デジタル／アナログ放送信号を受信する受信手段と、前記受信手段により受信したデジタル／アナログ放送信号から映像信号を抽出するデコーダと、前記デコーダにより抽出された１フレーム分の映像信号をキャプチャ画像として記憶する静止画キャプチャ装置と、前記デコーダにより抽出された前記映像信号及び前記静止画キャプチャ装置により記憶された前記キャプチャ画像を表示手段に出力する出力手段とを備えたデジタル／アナログチューナ装置であって、前記静止画キャプチャ装置は、前記キャプチャ画像の記憶時に、該キャプチャ画像と供に該キャプチャ画像に関するアスペクト比情報を記憶し、前記出力手段は、前記キャプチャ画像を前記表示手段に出力する際に、該キャプチャ画像が前記アスペクト比情報とは異なるアスペクト比で前記表示手段に表示される場合に、該キャプチャ画像が変形しないように、前記アスペクト比情報に応じたブランク部分を前記キャプチャ画像に付加して出力することを特徴とする。
【００１０】
請求項４の発明は、デジタル／アナログ放送信号を受信する受信手段と、前記受信手段により受信したデジタル／アナログ放送信号から映像信号及びＥＰＧ情報を抽出するデコーダと、前記デコーダにより抽出された１フレーム分の映像信号をキャプチャ画像として記憶する静止画キャプチャ装置と、前記デコーダにより抽出された映像信号及び静止画キャプチャ装置により記憶された前記キャプチャ画像を表示手段に出力する出力手段とを備えたデジタル／アナログチューナ装置であって、前記静止画キャプチャ装置は、前記キャプチャ画像の記憶時に、該キャプチャ画像と供に該キャプチャ画像に関する前記ＥＰＧ情報を記憶し、前記出力手段は、前記キャプチャ画像を前記表示手段に出力する際に、前記映像信号に含まれるＶＢＩ部が隠れるように前記キャプチャ画像にＥＰＧ情報を重畳して前記キャプチャ画像を前記表示手段に出力することを特徴とする。
【発明の効果】
【００１１】
以上のように請求項１の発明によれば、映像信号のＶＢＩ部をカットしてキャプチャ画像として記憶し、このＶＢＩ部をカットした後のキャプチャ画像を表示手段に出力するようにしたので、ＶＢＩ部がノイズ等のようにキャプチャ画像に取り込まれて表示されることがない。
【００１２】
また、キャプチャ画像の記憶時に、キャプチャ画像と供にこのキャプチャ画像に関するアスペクト比情報を記憶し、キャプチャ画像を表示手段に出力する際に、キャプチャ画像が変形しないように、アスペクト比情報に応じてブランク部分をキャプチャ画像に付加するようにしたため、キャプチャ画像を変形させずに表示手段に表示させることができる。
【００１３】
請求項２の発明によれば、映像信号のＶＢＩ部をカットしてキャプチャ画像として記憶するようにしたので、ＶＢＩ部がノイズのようにキャプチャ画像に取り込まれることがない。
【００１４】
請求項３の発明によれば、キャプチャ画像の記憶時に、アスペクト比情報を記憶し、キャプチャ画像を表示手段に出力する際に、アスペクト比情報に応じてブランク部分をキャプチャ画像に付加するようにしたため、キャプチャ画像を変形させずに表示手段に表示させることができる。
【００１５】
請求項４の発明によれば、キャプチャ画像を表示手段に出力する際に、映像信号に含まれるＶＢＩ部が隠れるようにキャプチャ画像にＥＰＧ情報を重畳してキャプチャ画像を出力するようにしたので、ＶＢＩ部がノイズのように表示されることがない。また、キャプチャ画像と共にＥＰＧ情報が出力されるのでどのような番組についてキャプチャしたのかの識別が容易に行える。
【発明を実施するための最良の形態】
【００１６】
本発明の第１の実施形態によるデジタル／アナログチューナ装置についてＳＴＢ（Ｓｅｔ−Ｔｏｐ  Ｂｏｘ）を例として、図１乃至図５を参照して説明する。図１に示されるように、ＳＴＢ（デジタル／アナログチューナ装置）１は、放送局から配信されるデジタル／アナログ放送信号を、アンテナ１０を介して受信し、デジタル／アナログ放送の映像信号及び音声信号を再生して受像機４に出力する装置である。
【００１７】
ＳＴＢ１は、アンテナ１０を介してデジタル／アナログ放送信号を受信するチューナ（受信手段）１１と、チューナにより受信したデジタル／アナログ放送信号から映像信号を抽出するデコーダ１２と、デコーダ１２により抽出された１フレーム分の映像信号をキャプチャ画像として記憶する静止画キャプチャ装置２と、デコーダ１２により抽出された映像信号及び静止画キャプチャ装置２により記憶されたキャプチャ画像を受像機４に出力する出力部１３とを備えている。
【００１８】
静止画キャプチャ装置２は、静止画キャプチャ装置２及びＳＴＢ１全体を制御するＣＰＵ２１と、キャプチャ画像等を記憶するフラッシュメモリ２２と、ＣＰＵ２１の動作プログラムを格納するＲＯＭ２３と、リモコン受信部２４とを備えている。
【００１９】
デコーダ１２は、リモコン３によりデジタル放送のチャンネルが選局された場合、チューナ１１で受信した受信信号を復調して、デジタル圧縮符号化されたテレビ番組の映像、音声、及びＥＰＧ（Ｅｌｅｃｔｒｉｃ  Ｐｒｏｇｒａｍ  Ｇｕｉｄｅ）情報等の信号を含むトランスポートストリーム信号を生成する。そして、デコーダ１２は、このトランスポートストリーム信号から、リモコン３で選局されたチャンネルのテレビ番組の映像信号と音声信号を分離抽出し、それらの信号をデジタル圧縮符号化される前の信号に復号再生し、出力部１３を介して受像機４へ出力する。また、デコーダ１２は、トランスポートストリーム信号から、ＥＰＧ情報を抽出しフラッシュメモリ２２等へ出力する。
【００２０】
また、デコーダ１２は、リモコン３によりアナログ放送のチャンネルが選局された場合、チューナ１１で受信した受信信号を復調して、リモコン３で選局操作されたチャンネルのテレビ番組の映像信号と音声信号を再生し、その映像信号と音声信号を受像機４へ出力する。
【００２１】
出力部１３は、ＯＳＤ回路を備えており、デコーダ１２又はフラッシュメモリ２２から出力される映像信号に、ＥＰＧ情報等の各種情報をＯＳＤ表示するための信号を重ねて受像機４へ出力する。
【００２２】
ＣＰＵ２１は、リモコン３によりデジタル放送のチャンネルが選局されると、リモコン受信部２４からの信号を受けて、選局された放送信号をチューナ１１に受信させると共に、デコーダ１２に、選局されたチャンネルの映像信号と音声信号を分離抽出して復号再生させるように指示する。また、ＣＰＵ２１は、リモコン３によりアナログ放送のチャンネルが選局されると、リモコン受信部２４からの信号を受けて、チューナ１１に選局されたチャンネルのテレビ放送信号を受信させると共に、デコーダ１２に映像信号と音声信号を復調再生させる。また、ＣＰＵ２１は、ユーザによるリモコン３のキャプチャボタン３１の操作に応じて、キャプチャ画像をフラッシュメモリ２２に記憶する際の動作制御を行う。キャプチャ画像がフラッシュメモリ２２に記憶される際、キャプチャ画像は、例えば、ＪＰＥＧ方式により圧縮されフラッシュメモリ２２に記憶される。
【００２３】
フラッシュメモリ２２は、キャプチャ画像、キャプチャ画像に関するアスペクト比情報、及びＥＰＧ情報を記憶する。フラッシュメモリ２２は、例えば、ＥＥＰＲＯＭから成っており、フラッシュメモリ２２に記憶されるキャプチャ画像等は、電源遮断時においても記憶される。
【００２４】
リモコン３は、ユーザが所望する映像を静止画像としてキャプチャする際、ユーザのキャプチャボタン３１の操作に応じた赤外線信号をリモコン受信部２４に送出する。リモコン受信部２４は、リモコン３から送出された信号を受信し、ＣＰＵ２１へ出力する。
【００２５】
次に、映像信号に含まれるＶＢＩ部を原因とするノイズ等の発生を防止する手段について説明する。ＶＢＩ部が存在すると想定される場所は、アナログ、デジタル４８０ｉ、デジタル４８０ｐ、デジタル７２０ｐ、デジタル１０８０ｉ等、解像度や放送の種類によって異なってくる。そこで、まず、アナログ放送の映像信号をキャプチャする場合について図２を参照して説明する。図２（ａ）に示されるように、アナログ放送の映像信号５０には、映像５０ａと共にＶＢＩ部５０ｂが存在する。従来の静止画キャプチャ装置においては、映像信号５０をそのままキャプチャしていたため、図２（ｂ）に示されるように、キャプチャ画像２００にＶＢＩ部５０ｂがノイズ２００ａのように取り込まれてしまう場合があった。本実施形態のＳＴＢ１においては、キャプチャ画像の記憶時に、映像信号のＶＢＩ部５０ｂをカットして映像５０ａをキャプチャ画像１００として記憶する。そして、図２（ｃ）に示されるように、ＶＢＩ部５０ｂをカットした後のキャプチャ画像１００を受像機４に出力するようにすることにより、ＶＢＩ部５０ｂがノイズのようにキャプチャ画像１００に取り込まれて表示されることがなくなり、美しい静止画像を得ることができる。
【００２６】
次に、デジタル放送の映像信号をキャプチャする場合について、解像度が４８０本の場合（図３（ａ））と、解像度が１０８０本の場合（図３（ｂ））について説明する。デジタル放送でも、アナログのＴＶ番組をデジタルにコンバートして放送している場合があり、表示される映像１１０，１２０に元の番組のＶＢＩ部１１０ａ，１２０ａが画像として含まれていることがある。そこで、各解像度に応じてカットする映像の範囲を変更してキャプチャ画像を記憶する。例えば、解像度が４８０本の場合、図３（ａ）に示されるように、横方向のライン１１１ａ，１１１ｂで２１ｐｉｘｅｌ分ずつ映像１１０の上下端をカットし、縦方向のライン１１１ｃ，１１１ｄで４２ｐｉｘｅｌ分ずつ映像１１０の左右端をカットして映像１１０をキャプチャする。一方、解像度が１０８０本の場合、図３（ｂ）に示されるように、横方向のライン１２１ａ，１２１ｂで４２ｐｉｘｅｌ分ずつ映像１２０の上下端をカットし、縦方向のライン１２１ｃ，１２１ｄで８４ｐｉｘｅｌ分ずつ映像１２０の左右端をカットして映像１２０をキャプチャする。
【００２７】
上述したように、ＳＴＢ１は、キャプチャされる映像の解像度や放送の種類に応じて、ＶＢＩ部をカットしてキャプチャ画像として記憶し、このＶＢＩ部をカットした後のキャプチャ画像を受像機４に出力するようにしたので、ＶＢＩ部がノイズのようにキャプチャ画像に取り込まれて表示されることがない。
【００２８】
次に、アスペクト比に起因するキャプチャ画像の変形を防止する手段について説明する。デジタル放送では、デジタル放送のストリーム中にアスペクト比情報が含まれているが、この映像をキャプチャ画像として記憶した場合には、ストリーム中のアスペクト比情報は失われてしまう。その結果、従来の静止画キャプチャ装置においては、図４に示されるように、アスペクト比４：３でアンテナから入力された映像５１をキャプチャ画像として記憶し、このキャプチャ画像をアスペクト比４：３の受像機に出力する場合には、表示画面２５１ａに示されるように問題なく表示できるが、アスペクト比１６：９の受像機に出力する場合には、表示画面２５１ｂに示されるようにキャプチャ画面が横方向に歪んで変形してしまう。また同様に、アスペクト比１６：９でアンテナから入力された映像５２をキャプチャ画像として記憶し、アスペクト比１６：９の受像機に出力する場合には、表示画面２５２ｂに示されるように問題なく表示できるが、アスペクト比４：３の受像機に出力する場合には、表示画面２５２ａに示されるように画面が縦方向に歪んで変形してしまう。
【００２９】
本実施形態のＳＴＢ１においては、キャプチャ画像の記憶時に、キャプチャ画像と供にこのキャプチャ画像に関するアスペクト比情報を記憶し、キャプチャ画像を受像機４に出力する際に、キャプチャ画像がアスペクト比情報とは異なるアスペクト比で受像機４に表示される場合、キャプチャ画像が変形しないように、アスペクト比情報に応じたブランク部分５１ａ，５２ａをキャプチャ画像に付加するようにする。図５に示されるように、アスペクト比４：３でアンテナから入力された映像５１をキャプチャ画像として記憶し、アスペクト比４：３の受像機４に出力する場合には、従来例と同様にキャプチャ画像をそのまま表示画面１５１ａとして受像機４に表示させるが、アスペクト比１６：９の受像機４に出力する場合には、キャプチャ画像の両サイドにブランク部分５１ａを付加してサイドバー形式で表示画面１５１ｂを受像機４に表示させる。一方、アスペクト比１６：９でアンテナから入力された映像５２をキャプチャ画像として記憶し、アスペクト比１６：９の受像機に出力する場合には、従来例と同様にキャプチャ画像をそのまま表示画面１５２ｂとしてを受像機４に表示させるが、アスペクト比４：３の受像機４に出力する場合には、キャプチャ画像の上下部分にブランク部分５２ａを付加してレターボックス形式で表示画面１５２ａを受像機４に表示させる。このため、ＳＴＢ１は、キャプチャ画像を記憶したときのアスペクト比情報と受像機４のアスペクト比が変わっていたとしても、キャプチャ画像を変形させずに表示させることができる。
【００３０】
次に、本発明の第２の実施形態について図６を参照して説明する。第２の実施形態では、第１の実施形態と異なり、映像信号のＶＢＩ部をカットせずにキャプチャ画像を記憶し、このキャプチャ画像と共にＥＰＧ情報（チャンネル番号、キャプチャした日付、時間(若しくは番組の放送時間)、ショートネーム等)を記憶する。ＶＢＩ部をカットせずにキャプチャ画像を記憶するため、キャプチャ画像をそのまま受像機４の表示画面に表示させると、従来例と同様に、図６（ａ）に示されるように、ＶＢＩ部がノイズ２１０ａのように表示画面２１０に表示されてしまうが、本実施形態のＳＴＢ１においては、図６（ｂ）に示されるように、キャプチャ画像を受像機４に出力する際に、映像信号に含まれていたＶＢＩ部が隠れるようにキャプチャ画像にＥＰＧ情報１６０ａを重畳して出力し、受像機４に表示画面１６０を表示させる。このため、ＶＢＩ部がノイズ２１０ａのように表示されることがない。また、キャプチャ画像と共にＥＰＧ情報１６０ａが出力されるのでどのような番組についてキャプチャしたのかの識別が容易に行える。さらに、番組のタイトル等の条件を指定して、キャプチャ画像の中から該当するキャプチャ画像のみをスライドショーさせる等、ＥＰＧ情報をスライドショー機能として利用することも可能である。
【００３１】
なお、本発明は上記実施形態の構成に限られることなく種々の変形が可能である。例えば、上記実施形態においては、デジタル／アナログチューナ装置の例として、ＳＴＢ１について説明したが、デジタル／アナログチューナ装置を受像機４内に一体的に組み込んでもよい。
【図面の簡単な説明】
【００３２】
【図１】本発明の第１の実施形態によるデジタル／アナログチューナ装置の概略構成を示す電気的ブロック構成図。
【図２】（ａ）はアナログ放送の映像信号の説明図、（ｂ）は従来例によるキャプチャ画像を示す図、（ｃ）は第１の実施形態によるキャプチャ画像を示す図。
【図３】（ａ）は解像度が４８０本のデジタル放送の映像信号をキャプチャする場合の説明図、（ｂ）は解像度が１０８０本のデジタル放送の映像信号をキャプチャする場合の説明図。
【図４】従来例による映像信号のアスペクト比の違いによるキャプチャ画像の表示例を示す図。
【図５】第１の実施形態による映像信号のアスペクト比の違いによるキャプチャ画像の表示例を示す図。
【図６】（ａ）は従来例によるキャプチャ画像を示す図（ｂ）は第２の実施形態によるキャプチャ画像を示す図。
【符号の説明】
【００３３】
１    ＳＴＢ（デジタル／アナログチューナ装置）
２    静止画キャプチャ装置
４    受像機（表示手段）
１１  チューナ（受信手段）
１２  デコーダ
１３  出力部（出力手段）
５１ａ，５２ａ  ブランク部分
【図１】
2005197931.tif 000003
【図２】
2005197931.tif 000004
【図３】
2005197931.tif 000005
【図４】
2005197931.tif 000006
【図５】
2005197931.tif 000007
【図６】
2005197931.tif 000008